(57)【要約】【課題】鉄骨梁貫通孔の補強設計を効率良く行う。【解決手段】鉄骨梁貫通孔の補強設計支援システム１において、物件情報が記憶された格納部１０と、補強金具データベース２０と、制御部３０とを備えさせ、制御部３０は、鉄骨梁の固定値図面データおよびユーザ端末６０からの書き換えが可能な可変値設計データに基づいて補強金具データベース２０から梁貫通孔に適合する補強金具の仕様データを読み込み、読み込まれた補強金具の仕様データから該補強金具の梁貫通孔への取付可否を判定し、判定結果をユーザ端末６０に表示させるように構成され、格納部１０、補強金具データベース２０および制御部３０がクラウド上に配置され、ネットワーク５０を介してユーザ端末６０からアクセス可能な構成を備えさせる。【選択図】図１
2018028802.tif 000002
【特許請求の範囲】
【請求項１】
鉄骨梁に設けられる梁貫通孔の補強設計に用いられる補強設計支援システムであって、
前記梁貫通孔の補強設計の対象となる構造物の物件情報が記憶された格納部と、
複数の補強金具の仕様データが記憶された補強金具データベースと、
前記格納部から前記物件情報を読み込む制御部とを備え、
前記制御部は、前記鉄骨梁の固定値図面データおよびユーザ端末からの書き換えが可能な可変値設計データに基づいて前記補強金具データベースから前記梁貫通孔に適合する補強金具の仕様データを読み込み、読み込まれた補強金具の仕様データから該補強金具の前記梁貫通孔への取付可否を判定し、判定結果を前記ユーザ端末に表示させる処理を行うように構成され、
前記格納部、前記補強金具データベースおよび前記制御部がクラウド上に配置され、ネットワークを介してユーザ端末からアクセス可能な構成を有している、鉄骨梁貫通孔の補強設計支援システム。
【請求項２】
前記固定値図面データおよび前記可変値設計データに基づく鉄骨梁の仕様をＣＡＤデータとして生成し、該ＣＡＤデータをＷｅｂ表示用データに変換して前記ユーザ端末に前記鉄骨梁の仕様を表示させるように構成されている、請求項１に記載の鉄骨梁貫通孔の補強設計支援システム。
【請求項３】
第１のユーザが前記可変値設計データを編集中の場合には、第２のユーザに対して該可変値設計データの編集を許可しないように構成されている、請求項１又は２に記載の鉄骨梁貫通孔の補強設計支援システム。
【請求項４】
第１のユーザが前記可変値設計データの編集を完了した際に、第２のユーザに対して前記第１のユーザによる編集作業が完了したことを通知するように構成されている、請求項１〜３のいずれか一項に記載の鉄骨梁貫通孔の補強設計支援システム。
【発明の詳細な説明】
【技術分野】
【０００１】
本発明は、構造物の鉄骨梁に設けられる梁貫通孔の補強設計に用いられる補強設計支援システムに関する。
【背景技術】
【０００２】
鉄骨構造物を建造する際には鉄骨梁に配管を通すための梁貫通孔が設けられる。鉄骨梁に梁貫通孔が設けられると、鉄骨梁の強度が低下することになるため、通常、鉄骨梁に梁貫通孔を設ける際には梁貫通孔の形成部を補強するための補強設計が行われる。梁貫通孔の補強設計を行う際には、鉄骨梁の仕様（鉄骨梁の全長や梁貫通孔の径、形成位置等）が考慮され、梁貫通孔の形成部に補強金具が取り付けられる。補強金具を製造する部品メーカーは、例えば構造物建造の全体の工程を管理するゼネコンからの依頼を受け、ゼネコンから提示された鉄骨梁の仕様により各梁貫通孔の径に適合する補強金具をそれぞれ選定し、その取付可否の検討を行う。そして、その検討結果はゼネコンに報告され、取付不可と判断された梁貫通孔があった場合、ゼネコンは鉄骨梁の仕様を再検討する。一方、鉄骨梁の仕様の再検討にあたっては鉄骨梁を加工する鉄工所や、空調等を設置する設備業者の意向も反映させることが必要である。しかし、通常は鉄工所および設備業者と部品メーカーとは互いに直接連絡を取り合うことはなく、補強設計に関する鉄工所や設備業者からの意向はゼネコンを介して部品メーカーに伝えられる。
【０００３】
このような梁貫通孔の補強設計においては特許文献１に開示される補強設計支援システムを用いることがある。特許文献１の補強設計支援システムでは“動的スプレッドシート”を利用することで、ゼネコンや鉄工所、設備業者が鉄骨梁の仕様に適した補強金具の選定やその取付可否の検討をある程度実施できるようにしている。当該システムによりゼネコンと部品メーカーとのやり取りの回数を減少させ、梁貫通孔の補強設計の効率化を図っている。
【先行技術文献】
【特許文献】
【０００４】
【特許文献１】特開２０１３−１３４７３７号公報
【発明の概要】
【発明が解決しようとする課題】
【０００５】
しかしながら、特許文献１の補強設計支援システムにおいては、鉄骨梁の仕様を再検討するにあたり、鉄工所や設備業者が各々の意向のみを反映させた動的スプレッドシート、若しくはそのシートに基づき鉄骨梁の仕様等を記した設計図を再作成した場合に、各社の意向を取りまとめるゼネコン又はゼネコンから補強金具の再検討依頼を受けた部品メーカーが、鉄工所と設備業者の意向を両立させる作業を実施しなければならず、業務負荷が増大することになる。また、部品メーカーにとっては、ゼネコンからの再検討依頼を受けた際に初めて当初の鉄骨梁の仕様に対する具体的な変更内容を知ることになるため、再検討に費やされる作業時間が長くなるとともに、現場の工期の遅延を招く要因となっていた。
【０００６】
本発明は、上記事情に鑑みてなされたものであり、梁貫通孔の補強設計支援システムを改良し、梁貫通孔の補強設計を効率良く行うことを目的とする。
【課題を解決するための手段】
【０００７】
上記課題を解決する本発明は、鉄骨梁に設けられる梁貫通孔の補強設計に用いられる補強設計支援システムであって、前記梁貫通孔の補強設計の対象となる構造物の物件情報が記憶された格納部と、複数の補強金具の仕様データが記憶された補強金具データベースと、前記格納部から前記物件情報を読み込む制御部とを備え、前記制御部は、前記鉄骨梁の固定値図面データおよびユーザ端末からの書き換えが可能な可変値設計データに基づいて前記補強金具データベースから前記梁貫通孔に適合する補強金具の仕様データを読み込み、読み込まれた補強金具の仕様データから該補強金具の前記梁貫通孔への取付可否を判定し、判定結果を前記ユーザ端末に表示させる処理を行うように構成され、前記格納部、前記補強金具データベースおよび前記制御部がクラウド上に配置され、ネットワークを介してユーザ端末からアクセス可能な構成を有していることを特徴としている。
【発明の効果】
【０００８】
本発明によれば、梁貫通孔の補強設計を効率良く行うことができる。
【図面の簡単な説明】
【０００９】
【図１】本発明の実施形態に係る補強設計支援システムの概略構成を示す図である。
【図２】本発明の実施形態に係る補強設計支援システムにおけるユーザ端末に表示される画面であって、動的スプレッドシートの編集時の画面である。
【図３】本発明の実施形態に係る補強設計支援システムにおけるユーザ端末に表示される画面であって、動的スプレッドシートの編集時の画面である。
【図４】本発明の実施形態に係る補強設計支援システムにおけるユーザ端末に表示される画面であって、動的スプレッドシートの編集時の画面である。
【図５】本発明の実施形態に係る補強設計支援システムにおけるユーザ端末に表示される画面であって、動的スプレッドシートの編集時の画面である。
【図６】本発明の実施形態に係る補強設計支援システムを利用した梁貫通孔の補強設計方法について説明する図である。
【図７】本発明の実施形態に係る補強設計支援システムを利用した梁貫通孔の補強設計方法について説明する図である。
【図８】本発明の実施形態に係る補強設計支援システムにおけるユーザ端末に表示される画面であって、他のユーザの検討完了メールを受領した後に補強設計支援システムにアクセスした時の画面である。
【図９】本発明の実施形態に係る補強設計支援システムにおけるユーザ端末に表示される画面であって、図８中の「閲覧」ボタンを押した時に表示される画面である。
【図１０】本発明の実施形態に係る補強設計支援システムにおけるユーザ端末に表示される画面であって、確認依頼メールを受領したユーザが補強設計支援システムにアクセスした時の画面である。
【図１１】本発明の実施形態に係る補強設計支援システムにおけるユーザ端末に表示される画面であって、図１０中の「確認」ボタンを押した時に表示される画面である。
【図１２】本発明の実施形態に係る補強設計支援システムを利用した梁貫通孔の補強設計方法について説明する図である。
【図１３】本発明の実施形態に係る補強設計支援システムを利用した梁貫通孔の補強設計方法について説明する図である。
【図１４】本発明の実施形態に係る補強設計支援システムを利用した梁貫通孔の補強設計方法について説明する図である。
【図１５】本発明の実施形態に係る補強設計支援システムを利用した梁貫通孔の補強設計方法について説明する図である。
【発明を実施するための形態】
【００１０】
以下、本発明の一実施形態について、図面を参照しながら説明する。なお、本明細書および図面において、実質的に同一の機能構成を有する要素においては、同一の符号を付することにより重複説明を省略する。
【００１１】
図１に示すように、本実施形態に係る鉄骨梁貫通孔の補強設計支援システム１は、梁貫通孔の補強設計の対象となる構造物の物件情報が記憶された格納部１０と、複数の補強金具の仕様データが記憶された補強金具データベース２０と、アプリケーションソフトウェアである動的スプレッドシートを実行する制御部３０を備えている。格納部１０、補強金具データベース２０および制御部３０はそれぞれクラウドサーバ４０に配置されている。クラウドサーバ４０はインターネット回線等のネットワーク５０を介して複数のユーザ端末６０からアクセスすることができるように構成されている。なお、ユーザ端末６０とは例えばパソコンやタブレット型端末、スマートフォン等である。
【００１２】
格納部１０は、梁貫通孔の補強設計の対象となる物件ごとに複数存在し、各格納部１０ａ、１０ｂ、１０ｃには物件ごとの梁の仕様等が記されたＣＡＤ図面データや動的スプレッドシートで作成される検討中の設計データが記憶されている。格納部１０は、梁貫通孔の補強設計を開始する際にユーザ端末６０から物件に関する諸情報が入力されることで新たに作成されていく。補強金具データベース２０には部品メーカーが提供し得る全ての補強金具の仕様データが記憶されている。補強金具の仕様データとは補強金具の型番や製品寸法、適用可能な貫通孔径等のデータである。
【００１３】
制御部３０は、動的スプレッドシートを記憶している記憶部や演算部等の補強設計支援システム１の稼働に必要な構成を有している。具体的には、例えばユーザ端末６０から入力された物件情報に基づいて格納部１０を新規に作成する処理や、ユーザのアクセス権限の有無の判定処理、格納部１０からの物件情報の読み込み処理、動的スプレッドシートの読み込み処理、補強金具データベース２０からの補強金具の仕様データの読み込み処理、ユーザ端末６０からの入力信号処理、ユーザ端末６０の表示部（例えばディスプレイ）に画像を表示させるための信号送信処理等を行うことができるように構成されている。
【００１４】
動的スプレッドシートは、鉄骨梁の仕様に適合する補強金具の取付可否の判定により補強設計を行う鉄骨梁の最適な仕様を検討、決定するために用いられる。動的スプレッドシートは、シート上に表示される梁の設計データのうち、一部の設計データのみがユーザによる書き換えが可能であり、その他の設計データはユーザによる書き換えができないように動作する。以下の説明では、書き換え可能な梁の設計データを“可変値設計データ”といい、書き換え不能な梁の設計データを“固定値図面データ”という。
【００１５】
図２は本実施形態に係る補強設計支援システム１の動的スプレッドシート起動時のユーザ端末６０に表示される画面である。図２に示すように固定値図面データとは、例えば梁の断面名や通り、間、梁のサイズ等の設計データである。可変値設計データとは、例えば隣り合う梁貫通孔の間隔や鉄骨梁の上端面位置から梁貫通孔の中心までの距離（鉄骨からの偏心量）、梁貫通孔の径等の設計データである。ユーザは、ユーザ端末６０からの操作により動的スプレッドシートの可変値設計データを変更することができる。なお、可変値設計データおよび固定値図面データのパラメータは本実施形態で説明したものに限定されない。また、どのようなパラメータを可変値設計データとして、どのようなパラメータを固定値図面データとするかは補強設計の内容に応じて適宜決定され得るものである。
【００１６】
本実施形態に係る補強設計支援システム１はＣＡＤエンジンを実装しており、制御部３０は、ＣＡＤエンジンを介して格納部１０に記憶された補強設計対象の物件のＣＡＤ図面データをＷｅｂ表示用データに変換する処理を行う。また、ＣＡＤエンジンを介してスプレッドシートの設計データをＣＡＤデータに変換した後、再度ＣＡＤエンジンを介してＷｅｂ表示用データに変換する処理を行う。即ち、本実施形態に係る補強設計支援システム１を利用するユーザは、ユーザ端末６０の画面上において対象物件のＣＡＤ図面データと併せて、スプレッドシートの設計データもＣＡＤ図面のように閲覧することができる。ユーザ端末６０に表示される鉄骨梁等の仕様が記された設計図は、ユーザが動的スプレッドシートの可変値設計データを修正する度に更新され、ユーザは画面に表示される設計図を見ながら、鉄骨梁の最適仕様を検討することができる。
【００１７】
ここで、補強設計支援システム１における動的スプレッドシートの動作について説明する。まず制御部３０は、鉄骨梁等の仕様が記された設計図に基づきシート上に固定値図面データおよび可変値設計データが入力されると、補強金具データベース２０を参照し、当該固定値図面データおよび可変値設計データに基づく鉄骨梁（以下、“仮想梁”）の梁貫通孔に適合する補強金具及びその仕様データを補強金具データベース２０から読み込む。なお、補強金具には梁貫通孔に取り付けるための条件として、適用可能な梁貫通孔の径や梁のサイズ、鋼種等が定められている。
【００１８】
その後、制御部３０は、補強金具データベース２０から読み込まれた補強金具の仕様データから、選定された補強金具を仮想梁の梁貫通孔に適用した場合の取付可否を判定する。取付可否の判定は、例えば仮想梁に対する補強金具の設置位置が、梁のサイズや補強金具の仕様データ等から算出された偏心可能範囲内や設置可能範囲内にあるか否かに基づいて行われる。制御部３０はその判定結果をシート上の判定結果表示部に出力する。
【００１９】
ユーザは、画面に表示される動的スプレッドシートの判定結果表示部を見ることで、自身が入力した可変値設計データに基づいて選定された補強金具の取付可否を確認することができる。そして、取付不可と判定された梁貫通孔がある場合には、可変値設計データの値を修正することで、選定された補強金具の取付可否を再度確認できる。以後、この作業を繰り返すことで梁貫通孔に適合する最適な補強金具や鉄骨梁の仕様の検討が行われる。
【００２０】
例えば、図３は梁の設計図の表示をユーザが選択した一本の梁の設計図に切り替えた際のユーザ端末６０に表示される画面であるが、シート上の可変値設計データのうち、「連続孔間隔Ｌ１」の値を変更すると、図４に示すように梁貫通孔の形成位置が図中右方に移動する。また、図５に示すように他の梁についても同様の作業を行うことができる。ユーザはこのように可変値設計データを修正しながら補強金具を設ける最適な鉄骨梁の仕様を検討していく。
【００２１】
また、本実施形態の補強設計支援システム１においては、複数のユーザのうち、任意のユーザ（以下、“第１のユーザ”）が動的スプレッドシートを操作している際には、他のユーザ（以下、“第２のユーザ”）が動的スプレッドシートを操作できないように構成されている。即ち、本実施形態に係る制御部３０は、第１のユーザが可変値設計データを編集している際には、第２のユーザの端末から動的スプレッドシートの操作を要求する信号を受けても、その要求を拒絶する。
【００２２】
また、本実施形態において、制御部３０は複数のユーザのうち、第１のユーザが動的スプレッドシートの編集作業を完了した際に、例えばメールにより第２のユーザに対して、その旨を自動的に通知するよう構成されている。これにより、第１のユーザが動的スプレッドシートの編集完了後、すぐに第２のユーザに対して編集内容の確認を促すことができるため、更に効率良く梁貫通孔の補強設計を行うことができる。また、本実施形態においては、第１のユーザによる編集作業の確認依頼先として複数のユーザに検討完了メールが配信された場合に、検討完了メールを受領した全ユーザのデータ確認が終わるまでは、第２のユーザが動的スプレッドシートを編集できないように構成されている。これにより、第１のユーザによる作業内容が全ユーザで共有された状態で第２のユーザによる検討が開始されるため、変更内容の経緯を各ユーザが把握することができ、更に効率良く梁貫通孔の補強設計を行うことができる。なお、第２のユーザに対する通知は、補強設計支援システム１に登録された複数のユーザ全員に自動配信されるように構成しても良いし、複数のユーザの中から第１のユーザが指定したユーザのみに配信されるように構成しても良い。
【００２３】
本実施形態に係る補強設計支援システム１は以上のように構成されている。次に、本補強設計支援システム１を利用した梁貫通孔の補強設計方法の一例について説明する。以下の説明では、補強設計に参加するユーザを構造物建造の取りまとめを行うゼネコン、鉄骨梁の加工を行う鉄工所、空調等の設置を行う設備業者および補強金具を製造する部品メーカーとする。なお、補強金具としては、例えば岡部株式会社製ＯＳリング（登録商標）のようなリング状の金具が用いられる。
【００２４】
＜１．補強金具の検討材料アップロード＞
まず、部品メーカーの営業担当は、ゼネコンから補強金具の検討依頼を受け、補強金具の検討材料として鉄骨梁等の仕様が記されたＣＡＤ図面データや鉄骨梁の仕様に関する他の諸条件の情報を受領する。部品メーカーの営業担当はクラウド上で動作する補強設計支援システム１にアクセスし、梁貫通孔の補強設計の対象となる物件の情報を入力する。これにより、補強設計支援システム内に物件情報が登録された新規の格納部１０が作成される。その後、図６に示すように部品メーカーの営業担当は、ゼネコンから受領したＣＡＤ図面データ等の補強金具の検討材料を補強設計支援システム１にアップロードし、アップロードした検討材料は新規に作成された格納部１０に記憶される。このとき、部品メーカーの営業担当は、部品メーカーの検討担当に補強金具の検討を依頼するために、予め、補強設計支援システム１に登録されている部品メーカーの検討担当のメールアドレスを指定する。
【００２５】
＜２．招待メールの配信＞
続いて、部品メーカーの営業担当は、当該物件の補強設計に参加するユーザが補強設計支援システム１にアクセスできるようにするため、ゼネコン、鉄工所および設備業者のメールアドレスを補強設計支援システム１に登録する。登録されたメールアドレス宛には補強設計支援システム１にアクセスを許可するための招待メールが自動配信される。当該メールを受領したユーザは補強設計支援システム１にアクセスし、当該物件のＩＤやユーザＩＤの入力およびログインパスワードの設定を行うことで、当該物件に関する補強設計支援システム１へのアクセス権限を有する。
【００２６】
＜３．補強金具の検討材料ダウンロード＞
部品メーカーの営業担当が補強金具の検討材料をアップロードした後、部品メーカーの検討担当宛てに補強金具の検討依頼メールが自動配信される。検討依頼メールを受領した部品メーカーの検討担当は、補強設計支援システム１にアクセスし、検討材料をダウンロードする。そして、この検討書では補強金具の取り付け判定がＮＧとなり、現在の鉄骨梁の仕様では補強金具を取り付けることができないといった結果が含まれることもある。なお、検討書は、例えば特開２０１３−１３４７３７号公報に示す静的スプレッドシートの作成手順に沿って作成される。検討書の作成方法については特に限定されることはなく、ゼネコンから受領した鉄骨梁の仕様に対する補強金具の取付可否の判定内容が記されたものであれば良い。
【００２７】
その後、部品メーカーの検討担当は、検討書で補強金具の取り付け判定がＮＧとなった鉄骨梁の仕様を見直し、より最適な状態で補強金具を取り付けられる鉄骨梁の仕様を検討する。例えば梁貫通孔の設置間隔や梁貫通孔の径等の設計データを修正し、補強金具を取り付けるといった観点から、より適した鉄骨梁の仕様を見出していく。部品メーカーの検討担当は、このようにして動的スプレッドシート用のデータを作成する。このとき作成されるデータは、前述の固定値図面データおよび可変値設計データを含むデータであり、動的スプレッドシートを実行する際に読み込まれるデータである。なお、鉄骨梁の当初仕様に対する補強金具の取り付け判定が全てＯＫであれば、検討書に示される鉄骨梁の仕様と同等の動的スプレッドシート用データが作成される。
【００２８】
＜４．検討書および動的スプレッドシート用データのアップロード＞
次に、図７に示すように部品メーカーの検討担当は、検討書および動的スプレッドシート用データを補強設計支援システム１にアップロードする。
【００２９】
＜５．他のユーザへの検討完了メールの配信＞
部品メーカーの検討担当が検討書および動的スプレッドシート用データを補強設計支援システム１にアップロードすると、部品メーカーの営業担当を含む補強設計支援システム１に登録された各ユーザ宛に部品メーカーの検討担当による検討が完了した旨のメールが自動配信される。検討完了メールを受領した各ユーザは、各々のユーザ端末６０から補強設計支援システム１にアクセスし、部品メーカーの検討担当がアップロードした検討書をダウンロードして内容を確認することができる。
【００３０】
また、検討完了メールを受領して補強設計支援システム１にアクセスしたユーザの端末６０には図８に示すような画面が表示される。ここでユーザが「閲覧」ボタンを押すと、図９に示すようなスプレッドシートが読み込まれる。このとき読み込まれるシートは、シート上の数値等が編集できない静的スプレッドシートである。検討完了メールを受領した各ユーザは検討書以外に、このようにして部品メーカーの検討結果を確認することができる。
【００３１】
部品メーカーからの検討結果を確認したうえで、検討完了メールを受領したユーザが設計データを変更したい場合には、図８に示す画面中の「編集」ボタンを押す。これにより動的スプレッドシートが読み込まれ、ユーザ端末６０の表示部に図２に示すような画面が表示される。そして、設計データの変更が終了した後、そのユーザは他のユーザに対して、変更した設計データの確認依頼を行う。一方、補強設計支援システム１から配信される確認依頼メールを受領した他のユーザが補強設計支援システム１にアクセスすると、ユーザ端末６０の表示部に図１０に示すような画面が表示される。そして、そのユーザが「確認」ボタンを押すと、図１１に示すような静的スプレッドシートが読み込まれる。ここで、変更された設計データを承認する場合には図１１の画面左上の「変更内容の確認」ボタンを押す。また、設計データを変更する場合には「終了」ボタンを押すと、図８に示す画面が表示され「編集」ボタンにより設計データを変更することができる。なお、この場合、確認依頼メールを受領した全てのユーザが「変更内容の確認」ボタンを押して、変更された設計データが承認されたときに補強設計支援システム１による補強設計の検討が完了する。
【００３２】
＜６．設備業者による検討＞
本実施形態では部品メーカーによる補強金具の検討完了後、設備業者による確認（承認）、検討が行われる。図１２に示すように、設備業者は補強設計支援システム１にアクセスし、現在の設計データに変更が必要であれば、必要に応じて動的スプレッドシートを操作し、可変値設計データの変更を行う。
【００３３】
＜７．他のユーザへの検討完了メールの配信＞
設備業者による確認、または可変値設計データの変更が完了した後、各ユーザ宛に設備業者による検討が完了した旨のメールが自動配信される。ここではゼネコン、鉄工所および部品メーカーの検討担当に検討完了メールが配信される。検討完了メールを受領した各ユーザは設備業者による承認の有無、または可変値設計データの変更結果を確認することができる。部品メーカーの検討担当は、この段階で自身で作成した可変値設計データに対する変更箇所についてフィードバックを得ることができる。
【００３４】
＜８．鉄工所による検討＞
設備業者の検討完了メールを受領した後、本実施形態では鉄工所による確認（承認）、検討が行われる。図１３に示すように、鉄工所は補強設計支援システム１にアクセスし、現在の設計データに変更が必要であれば、必要に応じて動的スプレッドシートを操作し、可変値設計データの変更を行う。
【００３５】
＜９．他のユーザへの検討完了メールの配信＞
鉄工所による確認、または可変値設計データの変更が完了した後、各ユーザ宛に鉄工所による検討が完了した旨のメールが自動配信される。ここではゼネコン、設備業者および部品メーカーの検討担当に検討完了メールが配信される。検討完了メールを受領した各ユーザは鉄工所による承認の有無、または可変値設計データの変更結果を確認することができる。ここで設備業者および部品メーカーの検討担当は、可変値設計データの変更箇所についてフィードバックを得ることができる。なお、鉄工所は、既に設備業者が承認した可変値設計データを変更したことに関し、その変更箇所について、設備業者に対し検討完了メールを通じて再度確認依頼を行うことができ、再度確認依頼を受けた設備業者は、改めて確認、検討を行うこともできる。
【００３６】
＜１０．ゼネコンによる検討＞
鉄工所の検討完了メールを受領した後、本実施形態ではゼネコンによる確認（承認）、検討が行われる。図１４に示すように、ゼネコンは補強設計支援システム１にアクセスし、現在の設計データに変更が必要であれば、必要に応じて動的スプレッドシートを操作し、可変値設計データの変更を行う。なお、部品メーカーによる検討結果に対して設備業者および鉄工所が共に承認している場合には、ゼネコンはこの時点でその検討結果に対する最終確認、承認を行うことになる。
【００３７】
＜１１．他のユーザへの検討完了メールの配信＞
ゼネコンによる確認、または可変値設計データの変更が完了した後、各ユーザ宛にゼネコンによる検討が完了した旨のメールが自動配信される。ここでは鉄工所、設備業者および部品メーカーの検討担当に検討完了メールが配信される。検討完了メールを受領した各ユーザはゼネコンによる承認の有無、または可変値設計データの変更結果を確認することができる。ここで鉄工所、設備業者および部品メーカーの検討担当は、可変値設計データの変更箇所についてフィードバックを得ることができる。なお、ゼネコンは、既に設備業者および鉄工所が承認した可変値設計データを変更したことに関し、その変更箇所について、設備業者と鉄工所に対し検討完了メールを通じて再度確認依頼を行うことができ、再度確認依頼を受けた設備業者と鉄工所は、改めて確認、検討を行うこともできる。
【００３８】
＜１２．部品メーカーの再検討＞
ゼネコンは、現在の最新の設計データに基づき、補強金具等の仕様について部品メーカーの更なる検討が必要と判断する場合には、補強設計支援システム１上で部品メーカーに再検討依頼を行う。部品メーカーに再検討依頼がなされた場合、図１５に示すように部品メーカーは補強設計支援システム１にアクセスし、再検討材料をダウンロードする。そして、部品メーカーの検討担当は、再度、補強金具の取付可否の判定結果を記した再検討書を作成し、必要に応じて適宜、動的スプレッドシートで可変値設計データに再修正を加える。本実施形態に係る補強設計方法においては、各ユーザがクラウド上で動作する補強設計支援システム１にアクセスすることができるため、部品メーカーは、ゼネコンから補強金具の再検討依頼を受ける前に鉄工所や設備業者によって行われた可変値設計データの変更内容を確認しておくことができる。このため、部品メーカーの検討担当は、従来のようなゼネコンから再検討依頼を受けた際に初めて設計データを確認する場合に比べ、設計データの再検討をスムーズに行うことができ、再検討にかかる時間を短縮することができる。
【００３９】
＜１３．他のユーザへの再検討完了メールの配信＞
部品メーカーによる再検討が完了した後、部品メーカーの検討担当は、再検討書や再修正を加えた動的スプレッドシート用データを補強設計支援システム１に再度アップロードする。そして、各ユーザ宛に部品メーカーによる再検討が完了した旨のメールが自動配信される。ここではゼネコン、鉄工所および設備業者に再検討完了メールが配信される。再検討完了メールを受領した各ユーザは部品メーカーによる再検討の結果を確認することができる。
【００４０】
以後、このような作業を鉄工所および設備業者の確認、承認を経て、ゼネコンによる最終承認が得られるまで繰り返し、鉄骨梁の最適な仕様を決定する。ゼネコンからの最終承認が得られると、最終設計データがＣＡＤデータとして全ユーザがダウンロード可能な状態となる。
【００４１】
以上のように、本実施形態に係る梁貫通孔の補強設計支援システム１によれば、補強金具の設計に参加する各ユーザが動的スプレッドシートの操作をクラウド上で行うことができ、各ユーザが自由に現在の最新の設計データを確認することができる。これにより、各ユーザは補強設計の進捗をリアルタイムで把握することができ、梁貫通孔の補強設計を効率良く行うことが可能となる。
【００４２】
また、従来の梁貫通孔の補強設計方法では、ゼネコン、鉄工所および設備業者で鉄骨梁の設計データを検討する際に、各社で動的スプレッドシートをそれぞれ編集することになるため、鉄骨梁等の設計図が３枚存在していた。この場合、最終的な設計図が１枚になるとしても、設計過程において同一部材の設計図が複数枚存在することは、各社間で図面のやり取りをする際に図面の取り違いが発生する原因にもなり得る。これらの課題は補強設計に携わる会社が増加するほど顕著に現れる。
【００４３】
一方、本実施形態に係る梁貫通孔の補強設計支援システム１では、各社がクラウド上で共通の設計データを編集することになるため、そのような課題も解決することができる。
【００４４】
なお、本実施形態では補強設計支援システム１にＣＡＤエンジンを設けることとしたが、ＣＡＤエンジンは設けなくても良い。ただし、ＣＡＤエンジンを実装した方が梁の設計データを視覚的に確認することができ、また、スプレッドシートに不慣れなユーザであってもスムーズに設計データの確認作業を行うことができる。これにより、設計データの確認時間の短縮を図ることができ、更に効率良く梁貫通孔の補強設計を行うことができる。
【００４５】
また、本実施形態では、第１のユーザが可変値設計データを編集中の場合には第２のユーザに対して、その可変値設計データの編集を許可しないよう補強設計支援システム１を構成したが、この機能は設けなくても良い。第１のユーザおよび第２のユーザが同時に可変値設計データを編集できる状態であっても、各ユーザによる補強金具の検討の順番を事前に決めておけば、異なるユーザによる動的スプレッドシートの操作が同時に行われることを回避することはできる。あるいは第１のユーザによる可変値設計データの編集中に、第２のユーザから動的スプレッドシートの操作要求があった場合には第２のユーザの端末に他のユーザが動的スプレッドシートを操作中である旨の警告画面を表示させるようにしても良い。ただし、第２のユーザの不注意等により第１のユーザの検討作業の完了前に可変値設計データが変更されないように、第１のユーザによる可変値設計データの編集中には、第２のユーザに対して当該可変値設計データの編集を許可しないよう補強設計支援システム１を構成することが好ましい。これにより、意図しない設計データの変更について各ユーザが互いに確認し合うような作業を行う必要がなくなり、更に効率良く梁貫通孔の補強設計を行うことができる。
【００４６】
また、本実施形態では、第１のユーザによる可変値設計データの編集完了後に第２のユーザにその旨を通知するよう補強設計支援システム１を構成したが、この機能は設けなくても良い。第２のユーザはいつでも補強設計支援システム１にアクセスすることができるため、第１のユーザの検討完了メールを受け取らなくても現在の最新の設計データを閲覧することができる。ただし、第１のユーザによる可変値設計データの編集完了後、第２のユーザがすぐにそのことを認識して自身の確認作業や検討作業を開始できるように、第１のユーザによる可変値設計データの編集完了後に第２のユーザにその旨を通知する機能を設けることが好ましい。これにより、更に効率良く補強設計を行うことができる。
【００４７】
以上、本発明の実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【符号の説明】
【００４８】
１      補強設計支援システム
１０    格納部
２０    補強金具データベース
３０    制御部
４０    クラウドサーバ
５０    ネットワーク
６０    ユーザ端末
【図１】
2018028802.tif 000003
【図２】
2018028802.tif 000004
【図３】
2018028802.tif 000005
【図４】
2018028802.tif 000006
【図５】
2018028802.tif 000007
【図６】
2018028802.tif 000008
【図７】
2018028802.tif 000009
【図８】
2018028802.tif 000010
【図９】
2018028802.tif 000011
【図１０】
2018028802.tif 000012
【図１１】
2018028802.tif 000013
【図１２】
2018028802.tif 000014
【図１３】
2018028802.tif 000015
【図１４】
2018028802.tif 000016
【図１５】
2018028802.tif 000017